【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  テープカセット内からテープを引き出し、シャーシ上に存在する回転ヘッドを搭載する回転ヘッドシリンダに巻回し、前記テープを走行させる事により記録再生を行う磁気記録再生装置であって、
前記テープカセットを装着しうる状態をテープ装着状態、前記テープカセットから前記テープを引き出し前記回転ヘッドシリンダに巻回し前記テープが走行しうる状態をテープ引き出し状態とする時、前記テープ装着状態においては前記テープカセットの開口部内に存在し、前記テープ引き出し状態においては前記回転ヘッドシリンダ近傍のテープ引き出し位置に移動して、前記テープカセットよりテープを引き出し、前記回転ヘッドシリンダにテープを巻回するテープ引き出し部材と、
前記テープカセット開口部内から前記テープ引き出し状態の間を前記テープ引き出し部材が往復しうるよう案内するガイド部材と、を前記シャーシに設け、
前記テープ引き出し部材には、ボス部が設けられ、
前記ガイド部材には、前記テープ引き出し部材がその上面を摺動し、且つ前記ボス部が係合する溝穴部を有し、
前記溝穴部の外形線が、前記テープ引き出し部材が摺動する上面にて、切れ目なく閉じていることを特徴とする磁気記録再生装置。
【請求項２】  テープカセット内からテープを引き出し、シャーシ上に存在する回転ヘッドを搭載する回転ヘッドシリンダに巻回し、前記テープを走行させる事により記録再生を行う磁気記録再生装置であって、
前記シャーシ上に存在し前記回転ヘッドシリンダを装着するシリンダ保持部材と、
前記シャーシに前記テープカセットが装着される状態を、テープ装着状態、
前記テープカセットから前記テープを引き出し前記回転ヘッドシリンダに前記テープを巻回し前記テープが走行しうる状態を、テープ引き出し状態とする時、
前記テープ装着状態においては、前記テープカセットの開口部内に存在し、前記テープ引き出し状態においては、シリンダ近傍のテープ引き出し位置に移動して前記テープカセットよりテープを引き出し、前記回転ヘッドシリンダにテープを巻回するテープ引き出し部材と、
前記テープ引き出し部材を、前記テープカセット開口部内から前記テープ引き出し位置の間を往復しうる様案内するガイド部材とを備え、
前記シリンダ保持部材と、前記ガイド部材が一体に形成されたことを特徴とする磁気記録再生装置。
【請求項３】  シリンダ保持部材とガイド部材が、ＰＰＳ（ポリフェニレンサルファイド）、ＰＥＳ（ポリエーテルスルホン）、ＰＥＩ（ポリエーテルイミド）、ＰＣ（ポリカーボネート）、ＰＡ（ポリアミド）、ＰＩ（ポリイミド）、ＰＢＴ（ポリブチレンテレフタレート）、ＰＰＥ（変性ポリフェニレンエーテル）、ＬＣＰ（液晶ポリマー）またはＰＥＥＫ（ポリエーテルエーテルケトン）のいずれかの樹脂により一体成形されたことを特徴とする請求項２記載の磁気記録再生装置。
【請求項４】  回転ヘッドシリンダ近傍のテープ引き出し位置においてテープ引き出し部材を位置決めする位置決め部材を備え、前記位置決め部材と、ガイド部材と、シリンダ保持部材とが一体形成された事を特徴とする請求項２記載の磁気記録再生装置。
【請求項５】  シリンダ保持部材とガイド部材と位置決め部材とが、ＰＰＳ（ポリフェニレンサルファイド）、ＰＥＳ（ポリエーテルスルホン）、ＰＥＩ（ポリエーテルイミド）、ＰＣ（ポリカーボネート）、ＰＡ（ポリアミド）、ＰＩ（ポリイミド）、ＰＢＴ（ポリブチレンテレフタレート）、ＰＰＥ（変性ポリフェニレンエーテル）、ＬＣＰ（液晶ポリマー）またはＰＥＥＫ（ポリエーテルエーテルケトン）のいずれかの樹脂により一体成形されたことを特徴とする請求項４記載の磁気記録再生装置。
【請求項６】  前記テープ引き出し部材には、ボス部が設けられ、
前記ガイド部材には、前記テープ引き出し部材がその上面を摺動し、且つ前記ボス部が係合する溝穴部を有し、
前記溝穴部の外形線が、前記テープ引き出し部材が摺動する上面にて、切れ目なく閉じていることを特徴とする請求項４記載の磁気記録再生装置。
【請求項７】  テープ引き出し部材に設けられたボス部に段差部を設け、前記テープ引き出し部材はＵ字状のボート板を備え、前記ボス部に回動自在にボート駆動部材を設け、前記ボート駆動部材はレールとボート板との間に設けられ、前記ボス部がガイド部材の溝穴部に挿入された後、前記ボート駆動部材が前記ボス部に挿入された後、前記ボート板が前記ボス部に設けられた段差部に弾性変形させられて係合することにより、前記テープ引き出し部材が前記ガイド部材に対して摺動自在に組み立てられることを特徴とする請求項６記載の磁気記録再生装置。
【手続補正２】
【補正対象書類名】明細書
【補正対象項目名】０００３
【補正方法】変更
【補正の内容】
【０００３】
以下に従来の磁気記録再生装置について図１０，１１を用いて説明する。図１０は従来の磁気記録再生装置のテープ装着位置を示す平面図である。図１１は同従来の磁気記録再生装置のテープ引き出し位置を示す平面図である。図１０，１１において１はシャーシ、２はシャーシ１に設けられたシリンダーベース、３は回転ヘッドシリンダーで、シリンダーベース２に固定されている。４はカセットで、内部にテープ５が収められている。６はレールでねじ７ａ，７ｂ，７ｃ，７ｄ，７ｅによって、シャーシ１に固定されている。８ａ，８ｂはボートで、それぞれテープ引出しポスト９ａ，９ｂ，９ｃ，９ｄが植立されている。レール６はボート８ａ，８ｂをシリンダーベース２へ案内するように保持している。ボート８ａ，８ｂは図示されないボート駆動手段によって駆動され、シリンダーベース２へ案内され、図示されないボート位置決め手段によって回転ヘッドシリンダー３の周囲の所定の位置に位置決めされる。そのような、ボート８ａ，８ｂの移動に伴い、カセット４内のテープ５は図１０の位置から引き出されて、図１１に示すように、回転ヘッドシリンダー３の周囲に巻回させられる。
【手続補正３】
【補正対象書類名】明細書
【補正対象項目名】００１０
【補正方法】変更
【補正の内容】
【００１０】
【発明の実施の形態】
本発明の請求項１に記載の発明は、テープカセット内からテープを引き出し、シャーシ上に存在する回転ヘッドを搭載する回転ヘッドシリンダに巻回し、前記テープを走行させる事により記録再生を行う磁気記録再生装置であって、前記テープカセットを装着しうる状態をテープ装着状態、前記テープカセットから前記テープを引き出し前記回転ヘッドシリンダに巻回し前記テープが走行しうる状態をテープ引き出し状態とする時、前記テープ装着状態においては前記テープカセットの開口部内に存在し、前記テープ引き出し状態においては前記回転ヘッドシリンダ近傍のテープ引き出し位置に移動して、前記テープカセットよりテープを引き出し、前記回転ヘッドシリンダにテープを巻回するテープ引き出し部材と、前記テープカセット開口部内から前記テープ引き出し状態の間を前記テープ引き出し部材が往復しうるよう案内するガイド部材、とを前記シャーシに設け、前記テープ引き出し部材には、ボス部が設けられ、前記ガイド部材には、前記テープ引き出し部材がその上面を摺動し、且つ前記ボス部が係合する溝穴部を有し、前記溝穴部の外形線が、前記テープ引き出し部材が摺動する上面にて、切れ目なく閉じている物であり、部品点数を削減し単純で安価なローディング機構を実現するとともに、ローディング部の構成の自由度を向上させることができるという作用を有する。
【手続補正４】
【補正対象書類名】明細書
【補正対象項目名】００１１
【補正方法】変更
【補正の内容】
【００１１】
請求項２に記載の発明は、テープカセット内からテープを引き出し、シャーシ上に存在する回転ヘッドを搭載する回転ヘッドシリンダに巻回し、前記テープを走行させる事により記録再生を行う磁気記録再生装置であって、前記シャーシ上に存在し前記回転ヘッドシリンダを装着するシリンダ保持部材と、前記シャーシに前記テープカセットが装着される状態を、テープ装着状態、前記テープカセットから前記テープを引き出し前記回転ヘッドシリンダに前記テープを巻回し前記テープが走行しうる状態を、テープ引き出し状態とする時、前記テープ装着状態においては、前記テープカセットの開口部内に存在し、前記テープ引き出し状態においては、シリンダ近傍のテープ引き出し位置に移動して前記テープカセットよりテープを引き出し、前記回転ヘッドシリンダにテープを巻回するテープ引き出し部材と、前記テープ引き出し部材を、前記テープカセット開口部内から前記テープ引き出し位置の間を往復しうる様案内するガイド部材とを備え、前記シリンダ保持部材と、前記ガイド部材が一体に形成された物であり、部品点数を削減し単純で安価なローディング機構を実現するとともに、ローディング部の構成の自由度を向上させることができるという作用を有する。
【手続補正５】
【補正対象書類名】明細書
【補正対象項目名】００１２
【補正方法】変更
【補正の内容】
【００１２】
請求項３に記載の発明は、請求項２に記載の発明において、シリンダ保持部材とガイド部材が、ＰＰＳ（ポリフェニレンサルファイド）、ＰＥＳ（ポリエーテルスルホン）、ＰＥＩ（ポリエーテルイミド）、ＰＣ（ポリカーボネート）、ＰＡ（ポリアミド）、ＰＩ（ポリイミド）、ＰＢＴ（ポリブチレンテレフタレート）、ＰＰＥ（変性ポリフェニレンエーテル）、ＬＣＰ（液晶ポリマー）またはＰＥＥＫ（ポリエーテルエーテルケトン）のいずれかの樹脂により一体成形されたもので、部品点数を削減し単純で安価なローディング機構を実現するとともに、ローディング部の構成の自由度を向上させることができるという作用を有する。
【手続補正６】
【補正対象書類名】明細書
【補正対象項目名】００１３
【補正方法】変更
【補正の内容】
【００１３】
請求項４に記載の発明は、請求項２に記載の発明において、回転ヘッドシリンダ近傍のテープ引き出し位置においてテープ引き出し部材を位置決めする位置決め部材を備え、前記位置決め部材と、ガイド部材と、シリンダ保持部材とが一体形成された物であり、部品点数を削減し単純で安価なローディング機構を実現するとともに、ローディング部の構成の自由度を向上させることができるという作用を有する。
【手続補正７】
【補正対象書類名】明細書
【補正対象項目名】００１４
【補正方法】変更
【補正の内容】
【００１４】
請求項５に記載の発明は、請求項４に記載の発明において、シリンダ保持部材とガイド部材と位置決め部材とが、ＰＰＳ（ポリフェニレンサルファイド）、ＰＥＳ（ポリエーテルスルホン）、ＰＥＩ（ポリエーテルイミド）、ＰＣ（ポリカーボネート）、ＰＡ（ポリアミド）、ＰＩ（ポリイミド）、ＰＢＴ（ポリブチレンテレフタレート）、ＰＰＥ（変性ポリフェニレンエーテル）、ＬＣＰ（液晶ポリマー）またはＰＥＥＫ（ポリエーテルエーテルケトン）のいずれかの樹脂により一体成形された物であり、部品点数を削減し単純で安価なローディング機構を実現するとともに、ローディング部の構成の自由度を向上させることができるという作用を有する。
【手続補正８】
【補正対象書類名】明細書
【補正対象項目名】００１５
【補正方法】変更
【補正の内容】
【００１５】
請求項６に記載の発明は、請求項４に記載の発明において、前記テープ引き出し部材には、ボス部が設けられ、前記ガイド部材には、前記テープ引き出し部材がその上面を摺動し、且つ前記ボス部が係合する溝穴部を有し、前記溝穴部の外形線が、前記テープ引き出し部材が摺動する上面にて、切れ目なく閉じている物であり、部品点数を削減し単純で安価なローディング機構を実現するとともに、ローディング部の構成の自由度を向上させることができるという作用を有する。
【手続補正９】
【補正対象書類名】明細書
【補正対象項目名】００１６
【補正方法】変更
【補正の内容】
【００１６】
請求項７に記載の発明は、請求項６に記載の発明において、テープ引き出し部材に設けられたボス部に段差部を設け、前記テープ引き出し部材はＵ字状のボート板を備え、前記ボス部に回動自在にボート駆動部材を設け、前記ボート駆動部材はレールとボート板との間に設けられ、前記ボス部がガイド部材の溝穴部に挿入された後、前記ボート駆動部材が前記ボス部に挿入された後、前記ボート板が前記ボス部に設けられた段差部に弾性変形させられて係合することにより、前記テープ引き出し部材が前記ガイド部材に対して摺動自在に組み立てられるものであり、装置の組み立て時に、シリンダベースがシャーシに取り付けられた状態で、ボートをシリンダベースの長穴部に上方から挿入し、その後、ボート駆動部材をボートの突起部に挿入した後、ボート板を後ろから水平に差し込むだけで、ボートをシリンダベースに摺動自在に組み付けることが可能になり、また、ボート板を取り付けるのにねじが不要であり、シリンダベースとＳリンク（ボート駆動部材）とボートとの組み立てが容易で、レールやボートといった高精度の部品のユニットの構成の自由度を向上させ、部品点数の少ない磁気記録再生装置が実現できるという作用を有する。
【手続補正１０】
【補正対象書類名】明細書
【補正対象項目名】００２６
【補正方法】変更
【補正の内容】
【００２６】
次に本発明の磁気記録再生装置のメインシャーシの構成について図２を用いて説明する。２１はメインシャーシで、４本のカム溝穴２１ａ，２１ｂ，２１ｃ，２１ｄが設けてある。２３は正逆回転可能なモータで、モータの回転力は、モータウォーム２３、連結ウォーム２４、そして、２４，２５のギアを介し、モードギア２７に伝えられる。モードギア２７は支点２７ａ周りに回動可能で上面に、サブシャーシ１（図１）と契合しサブシャーシを動かすサブシャーシ駆動ピン２７ｂが設けてある。２８はシリンダベースで、３点２８ｅでメインシャーシにねじ止めされる。３つの２８ｆはシリンダ止めようねじ穴で、このシリンダベース上にシリンダ（図示せず）をのせ、裏面からこの穴を用いシリンダをねじ止めする。
【手続補正１１】
【補正対象書類名】明細書
【補正対象項目名】００５０
【補正方法】変更
【補正の内容】
【００５０】
Ｓリンク５により下部を押圧されたＳボートは、その先端部の突起６ｄがシリンダベース２８の斜面２８ｇに押圧される。これによりＳボート全体は矢印Ｂ方向に押圧されると同時に、矢印Ｃそして、Ｓボート６の下方をＢ方向に押圧されるため矢印Ｄ方向の力も受け、結果として、Ｓボート６下面６ｃ（３点）はシリンダベース上面２８ｈに沿うこととなる。シリンダベース上面２８ｈ、およびＳボート下面は精度よく形成されており、これらが当接する事により、Ｓボート６は精度よくシリンダベース２８位置決めされることとなる。このように、Ｓボート６の一部に一体に突起６ｄを設け、シリンダベース２８側には一体に斜面を設けるという単純な構成により、精度よくテープ引き出し部材であるＳボート６を位置決めすることができる。Ｓボート６の上には、テープ走行上、メインシャーシに対する傾き精度が極めて重要であるテープガイドポストである、Ｓ１ポスト６ａが植立されてあり、本発明において、極めて簡単な構成で、重要ポストを精度よく位置決めでき、メカニズムの部品点数の削減、小型化のみならず、性能の向上にも貢献する事ができる。
【手続補正１２】
【補正対象書類名】明細書
【補正対象項目名】００５２
【補正方法】変更
【補正の内容】
【００５２】
以上のように本実施の形態によれば、ガイド溝２８ａ、２８ｂの形状は、図に示すように外形線がボートが摺動する面にて切れ目なく閉じており、また、シリンダ取り付け部２８ｅ、２８ｆと、ガイド溝２８ａ、２８ｂと、位置決め部２８ｃ、２８ｄとは樹脂一体成形され留事により、部品点数を削減するとともに、締結部品を削減し、また部品取り付けのための範囲を少なくしローディング部の構成の自由度を向上させることができる。
【手続補正１３】
【補正対象書類名】図面
【補正対象項目名】図２
【補正方法】変更
【補正の内容】
【図２】
2004310941.tif 000001
【手続補正１４】
【補正対象書類名】図面
【補正対象項目名】図８
【補正方法】変更
【補正の内容】
【図８】
2004310941.tif 000002